(57)【要約】【課題】漁獲量に悪影響を与えることなく大幅な省エネルギを図ることができ、漁師の皮膚や眼の健康被害防止にも有効な集魚技術を提供する。【解決手段】集魚装置１０は、船舶１０ａ近傍の水面を照射するための複数の第一光源１１ａと、第一光源１１ａの照射領域１６より遠い領域を照射するための複数の第二光源１２、第一光源１１ａ及び第二光源１２を点灯させるための電源部と、第一光源１１ａ及び第二光源１２をそれぞれ独立して点灯・消灯可能な制御部と、とを備えている。複数の第一光源１１ａ及び複数の第二光源１２を全部点灯してイカ１７を集め、時間の経過に伴い、第一光源１１ａ，１１ｂの照射領域１６内へイカ１７の群れが集合したら、その後、第二光源１２を消灯する。第一光源１１ａの照射領域１６の周辺は暗いので、照射領域１６内に集合したイカ１７の群れは、その周辺の暗い領域へ逃げることがない。【選択図】図４
2011211937.tif 000002
【特許請求の範囲】
【請求項１】
船舶近傍の水面を照射する第一光源及び前記第一光源の照射領域より遠い領域を照射する第二光源を点灯して集魚を開始し、前記第一光源の照射領域内へ魚群が集合した後、前記第二光源を消灯することを特徴とする集魚方法。
【請求項２】
船舶近傍の水面を照射する第一光源で船舶近傍の水面を照射し、前記第一光源の照射領域より深い水中にて第二光源を点灯して集魚を開始し、前記第二光源の照射領域に魚群が集合したら前記第二光源を徐々に上昇させ前記魚群を前記第一光源の照射領域へ誘導し、前記第一光源の照射領域内へ前記魚群が集合した後、前記第二光源を消灯することを特徴とする集魚方法。
【請求項３】
前記第一光源が、無電極灯、ＬＥＤ、有機ＥＬ、ＨＩＤランプのうちの１以上であることを特徴とする請求項１または２記載の集魚方法。
【請求項４】
前記第二光源が、アーク放電灯であることを特徴とする請求項１〜３のいずれかに記載の集魚方法。
【請求項５】
請求項１，３，４のいずれかに記載の集魚方法を実施するため船舶に搭載可能な集魚装置であって、前記船舶近傍の水面を照射する第一光源と、前記第一光源の照射領域より遠い領域を照射する第二光源と、前記第一光源及び第二光源を点灯させるための電源部と、前記第一光源及び前記第二光源をそれぞれ独立して点灯・消灯可能な制御部と、を備えたことを特徴とする集魚装置。
【請求項６】
請求項２，３，４のいずれかに記載の集魚方法を実施するため船舶に搭載可能な集魚装置であって、前記船舶近傍の水面を照射する第一光源と、水中で発光可能な第二光源と、前記第一光源及び第二光源を点灯させるための電源部と、第二光源を水中にて上下動させる昇降手段と、前記第一光源及び前記第二光源をそれぞれ独立して点灯・消灯可能な制御部と、を備えたことを特徴とする集魚装置。
【請求項７】
前記第一光源が、無電極灯、ＬＥＤ、有機ＥＬ、ＨＩＤランプのうちの１以上であることを特徴とする請求項５または６記載の集魚装置。
【請求項８】
前記第二光源が、アーク放電灯であることを特徴とする請求項５〜７のいずれかに記載の集魚装置。
【発明の詳細な説明】
【技術分野】
【０００１】
本発明は、漁獲を目的として、水中に生息するイカ類やその他の走光性を有する魚類を所定領域内に集合させる技術に関する。
【背景技術】
【０００２】
水中に生息するイカ類は走光性を有するので、漁獲に際しては、多数の集魚灯を備えた船舶（所謂、イカ釣り漁船）が使用されている。また、イカ釣り漁船における集魚灯を利用した集魚方法についても、従来、多種多様な技術が提案されているが、本願に関連するものとして、例えば、特許文献１記載の集魚方法がある。
【先行技術文献】
【特許文献】
【０００３】
【特許文献１】特開２００５−１１７９９１号公報
【発明の概要】
【発明が解決しようとする課題】
【０００４】
特許文献１記載の集魚方法は、集魚灯ランプによる照明の範囲や光量を可変とすることにより魚やイカに対する誘引効果や照明効率を高め、漁獲量の向上を図るものであるが、漁獲作業中は集魚灯ランプが連続点灯されるため、省エネルギ効果は不十分である。また、紫外線カットガラスが装着された集魚灯ランプを使用しない限り、集魚灯が発する紫外線に起因する漁師の健康被害（皮膚や眼への悪影響）を無くすことができない。
【０００５】
本発明が解決しようとする課題は、漁獲量に悪影響を与えることなく大幅な省エネルギを図ることができ、漁師の皮膚や眼の健康被害防止にも有効な集魚技術を提供することにある。
【課題を解決するための手段】
【０００６】
本発明に係る集魚方法は、船舶近傍の水面を照射する第一光源及び前記第一光源の照射領域より遠い領域を照射する第二光源を点灯して集魚を開始し、前記第一光源の照射領域内へ魚群が集合した後、前記第二光源を消灯することを特徴とする。
【０００７】
このような構成とすれば、第一光源及び第二光源を点灯して最大光量を発することにより効率的に集魚を行い、第一光源の照射領域内である船舶近傍に魚群が集合した後は第二光源を消灯するので、大幅な省エネルギを図ることができ、漁師の皮膚や眼の健康被害防止にも有効である。また、第一光源の照射領域内である船舶近傍に魚群が集合した後に第二光源を消灯すると、第一光源の照射領域の周辺領域は暗くなるので、一旦、第一光源の照射領域内に集合した魚群が、その周辺の暗い領域へ逃げることもない。このため、第二光源を消灯しても漁獲量に悪影響を与えることがない。
【０００８】
次に、本発明に係る集魚方法は、船舶近傍の水面を照射する第一光源で船舶近傍の水面を照射し、前記第一光源の照射領域より深い水中にて第二光源を点灯して集魚を開始し、前記第二光源の照射領域に魚群が集合したら前記第二光源を徐々に上昇させ前記魚群を前記第一光源の照射領域へ誘導し、前記第一光源の照射領域内へ前記魚群が集合した後、前記第二光源を消灯することを特徴とする。
【０００９】
このような構成とすれば、水中に沈めた第二光源が発する光により、水中の深い場所に居る魚群を集合させた後、第二光源を上昇させることにより、魚群を第一光源の照射領域へ集合させ、その後は第二光源を消灯するので、大幅な省エネルギを図ることができる。第二光源を消灯すると、第一光源の照射領域の周辺領域は暗くなるので、一旦、第一光源の照射領域内に集合した魚群が、その周辺の暗い領域へ逃げることもない。このため、第二光源を消灯しても漁獲量に悪影響を与えることがない。また、第一光源は船舶近傍の水面を照射し、第二光源は水中を照射するので、漁師の皮膚や眼の健康被害防止にも有効である。さらに、魚群探知機を用いて発見した魚群の近傍に第二光源を沈めれば、昼夜を問わず漁獲を行うことができる。
【００１０】
一方、前記第一光源として、無電極灯、ＬＥＤ、有機ＥＬ、ＨＩＤランプのうちの１以上を用いることが望ましい。無電極灯を用いれば第一光源の長寿命化を図ることができ、ＬＥＤを用いれば第一光源の消費電力の低減を図ることができ、有機ＥＬを用いれば第一光源の軽量化及び消費電力の低減を図ることができ、ＨＩＤランプを用いれば比較的少ない電力で第一光源の高照度化を図ることができる。
【００１１】
また、前記第二光源として、アーク放電灯を用いれば、第二光源を高照度化することができるため、より遠い領域まで照射することができるようになる。
【００１２】
次に、本発明に係る集魚装置は、本発明の集魚方法を実施するため、船舶に搭載可能な集魚装置であって、前記船舶近傍の水面を照射する第一光源と、前記第一光源の照射領域より遠い領域を照射する第二光源と、前記第一光源及び第二光源を点灯させるための電源部と、前記第一光源及び前記第二光源をそれぞれ独立して点灯・消灯可能な制御部と、を備えたことを特徴とする。このような構成とすれば、漁獲量に悪影響を与えることなく大幅な省エネルギを図ることができ、漁師の皮膚や眼の健康被害を防止することができる。
【００１３】
また、本発明に係る集魚装置は、本発明の集魚方法を実施するため、船舶に搭載可能な集魚装置であって、前記船舶近傍の水面を照射する第一光源と、水中で発光可能な第二光源と、前記第一光源及び第二光源を点灯させるための電源部と、第二光源を水中にて上下動させる昇降手段と、前記第一光源及び前記第二光源をそれぞれ独立して点灯・消灯可能な制御部と、を備えたことを特徴とする。このような構成とすれば、漁獲量に悪影響を与えることなく大幅な省エネルギを図ることができ、漁師の皮膚や眼の健康被害を防止することができる。
【００１４】
前述した集魚装置においては、前記第一光源として、無電極灯、ＬＥＤ、有機ＥＬ、ＨＩＤランプのうちの１以上を用いることが望ましい。
【００１５】
また、前述した集魚装置においては、前記第二光源として、アーク放電灯を用いることが望ましい。
【発明の効果】
【００１６】
本発明により、漁獲量に悪影響を与えることなく大幅な省エネルギを図ることができ、漁師の皮膚や眼の健康被害防止にも有効な集魚技術を提供することができる。
【図面の簡単な説明】
【００１７】
【図１】本発明の第一実施形態である集魚装置を船舶に搭載した状態を示す側面図である。
【図２】図１に示す集魚装置の平面図である。
【図３】図１に示す集魚装置の正面図である。
【図４】図１〜図３に示す集魚装置を使用した集魚方法を示す図である。
【図５】図１〜図３に示す集魚装置を使用した集魚方法を示す図である。
【図６】本発明の第二実施形態である集魚装置を使用した集魚方法を示す図である。
【図７】本発明の第二実施形態である集魚装置を使用した集魚方法を示す図である。
【発明を実施するための形態】
【００１８】
図１〜図５に基づいて本発明の第一実施形態について説明する。図１〜図３に示すように、本実施形態で使用する集魚装置１０は船舶１０ａに搭載され、当該船舶１０ａ近傍の水面を照射するための複数の第一光源１１ａ，１１ｂと、第一光源１１ａ，１１ｂの照射領域より遠い領域を照射するための複数の第二光源１２と、第一光源１１ａ，１１ｂ及び第二光源１２を点灯させるための電源部１８と、第一光源１１ａ，１１ｂ及び第二光源１２をそれぞれ独立して点灯・消灯可能な制御部１９と、を備えている。複数の第二光源１２全部を点灯した明るさは、複数の第一光源１１ａ，１１ｂ全部を点灯した明るさより明るくなるように設定されている。
【００１９】
第一光源１１ａ，１１ｂは船舶１０ａの左右の舷側に沿って前後に２台ずつ、合計４台が配置されている。第一光源１１ａ，１１ｂはそれぞれ支柱１３を介して船舶１０ａの甲板１０ｂに傾動可能に取り付けられているため、後述する照射領域１６（図４参照）を移動させることができる。第一光源１１ａ，１１ｂの発光源として無電極灯（図示せず）を用いているが、これに限定するものではない。
【００２０】
複数の第二光源１２は、船舶１０ａの甲板１０ｂの船首付近及び船尾付近に立設された複数の支柱１４間に張設された複数の水平支持部材１５に垂下されている。複数の水平支持部材１５は船舶１０ａの前後方向に沿って平行に張設されている。第二光源１２の発光源としてＨＩＤランプ（図示せず）を使用しているが、これに限定するものではない。
【００２１】
ここで、図４，図５に基づいて集魚装置１０を使用した集魚方法について説明する。図４に示すように、集魚装置１０を搭載した船舶１０ａが漁場に到着したら、第一光源１１ａ，１１ｂ及び第二光源を全て点灯して集魚を開始する。これにより、水中に生息する多数のイカ１７は、船舶１０ａの左右舷側近傍の第一光源１１ａ，１１ｂの照射領域１６に向かって誘引される。時間の経過に伴い、図５に示すように、イカ１７が群れとなって第一光源１１ａ，１１ｂの照射領域１６内に集合したら、複数の第二光源１２を消灯する。この場合、状況に応じて、複数の第二光源１２を少しずつ消灯していく方法や、徐々に減光していく方法や、あるいは複数の第二光源１２全部を同時に消灯する方法を採ることができる。
【００２２】
第一光源１１ａ，１１ｂの照射領域１６内である船舶１０ａの近傍にイカ１７の群れが集合した後に第二光源１２を消灯すると、第一光源１１ａ，１１ｂの照射領域１６の周辺領域は暗くなるが、第一光源１１ａ，１１ｂの照射領域１６内は明るいので、一旦、第一光源１１ａ，１１ｂの照射領域１６内に集合したイカ１７の群れが、その周辺の暗い領域へ逃げることもない。従って、イカ１７の群れに対して従来の漁法を実施すれば、多数のイカ１７を効率的に捕獲することができる。
【００２３】
図４，図５に示すように、第一光源１１ａ，１１ｂ及び第二光源１２を点灯して最大光量を発することにより効率的にイカ１７を誘導して集合させ、第一光源１１ａ，１１ｂの照射領域１６内である船舶１０ａ近傍にイカ１７の群れが集合した後は第二光源１２を消灯して漁を行うので、大幅な省エネルギを図ることができる。また、船舶１０ａに乗り込んで漁獲作業を行う漁師が第二光源１２の強烈な光を浴びる時間を減らすことができるので、皮膚や眼などの健康被害防止にも有効である。
【００２４】
図５に示すように、第一光源１１ａ，１１ｂの照射領域１６内である船舶１０ａ近傍にイカ１７の群れが集合した後に第二光源１２を消灯しても、第一光源１１ａ，１１ｂの照射領域１６より著しく暗い状態にある周辺領域に向かってイカ１７の群れが逃げることもないので、イカ１７の漁獲量が減少することもない。また、第一光源１１ａ，１１ｂは無電極灯（図示せず）で構成されているため、長寿命である。なお、図４，図５においてはイカ１７を捕獲する場合について説明しているが、これに限定しないので、走光性を有するその他の魚類を捕獲する場合にも応用可能である。
【００２５】
次に、図６，図７に基づいて本発明の第二実施形態について説明する。図６に示すように、本実施形態の集魚装置２０は船舶２０ａに搭載され、当該船舶２０ａ近傍の水面を照射する第一光源２１と、水中にて発光可能な第二光源２２と、第一光源２１及び第二光源２２を点灯させるための電源部２８と、第一光源２１及び第二光源２２をそれぞれ独立して点灯・消灯可能な制御部２９と、第二光源２２を水中にて上下動させる昇降手段であるウインチ２３と、を備えている。第一光源２１は、前述した第一光源１１ａと同じ構成であり、船体２０ａの左右舷側にそれぞれ支柱１３を介して傾動可能に設置されている。第二光源２２はウインチ２３に繰り出し・巻き上げ可能に係止されたワイヤ２４の先端部に垂下状に取り付けられている。
【００２６】
船舶２０ａが漁場に到着したら、第一光源２１を点灯して船舶２０ａ近傍の水面を照射するとともに、第一光源２１の照射領域２６より深い水中に沈めた第二光源２２を点灯して魚２７を集める。第二光源２２の照射領域に魚２７の群れが集合したら、ウインチ２３でワイヤ２４を巻き上げて第二光源２２を徐々に上昇させ、図７に示すように、魚２７の群れを第一光源２１の照射領域２６へ誘導する。そして、第二光源２２の上昇に伴って魚２７の群れが第一光源２１の照射領域２６内へ集合した後、第二光源２２を消灯する。この後、魚２７に適した従来の漁法を実施すれば、第一光源２１の照射領域２６内で群れをなす魚２７を捕獲することができる。
【００２７】
このように、水中に沈めた第二光源２２が発する光により、水中の深い場所に居る魚２７の群れを集合させた後、第二光源２２を上昇させることにより、魚２７の群れを第一光源２１の照射領域２６へ集合させ、その後は、消費電力の大きな第二光源２２を消灯するので、大幅な省エネルギを図ることができる。また、第二光源２２を消灯すると、第一光源２１の照射領域２６の周辺領域は著しく暗くなるので、一旦、第一光源２１の照射領域２６内に集合した魚２７の群れが、その周辺の暗い領域へ逃げることもない。このため、第二光源２２を消灯して漁を行っても漁獲量が減少することがない。
【００２８】
また、第一光源２１は船舶２０ａ近傍の水面を照射し、第二光源２２は水中を照射するので、船舶２０ａに乗り込んで漁獲作業を行う漁師の皮膚や眼の健康被害防止を図ることができる。第一光源２１の発光源はＬＥＤ（図示せず）であるため、消費電力を低減することができる。なお、魚群探知機を用いて発見した魚２７の群れの近傍に第二光源２２を沈めた後、前述した一連の操作を行えば、昼夜を問わず漁を行うことができる。
【産業上の利用可能性】
【００２９】
本発明の集魚方法は、走光性を有するイカ類やその他の魚類の捕獲を目的する漁業分野において広く利用することができる。
【符号の説明】
【００３０】
１０，２０  集魚装置
１０ａ，２０ａ  船舶
１０ｂ  甲板
１１ａ，１１ｂ，２１  第一光源
１２，２２  第二光源
１３，１４  支柱
１５  水平支持部材
１６，２６  照射領域
１７  イカ
１８，２８  電源部
１９，２９  制御部
２３  ウインチ
２４  ワイヤ
２７  魚
【図１】
2011211937.tif 000003
【図２】
2011211937.tif 000004
【図３】
2011211937.tif 000005
【図４】
2011211937.tif 000006
【図５】
2011211937.tif 000007
【図６】
2011211937.tif 000008
【図７】
2011211937.tif 000009